(57)【特許請求の範囲】
【請求項１】
湯水を生成する加熱手段と、
前記加熱手段により生成された湯水を上方から入水することにより、温度帯の異なる湯水を貯湯する貯湯タンクと、
前記貯湯タンクの上下方向に並べて設置され、前記貯湯タンク内に貯湯された湯水の温度を検出する複数の温度センサと、
前記貯湯タンクの下方から取水した湯水を供給するポンプと、
前記加熱手段、及び、前記ポンプを制御する制御装置とを備え、
前記制御装置は、
前記ポンプから供給された湯水を、前記貯湯タンクに循環させることにより、前記貯湯タンク内における湯水の温度を均一化させる制御手段と、
前記制御手段により湯水の温度が均一化された状態で、前記複数の温度センサのうち異常な温度を検出した温度センサについて報知する報知手段と、を備える、
貯湯式給湯装置。
【請求項２】
前記ポンプによる湯水の供給先を、前記加熱手段、及び、前記貯湯タンクの何れかに切り替える切替弁を更に備え、
前記制御手段は、沸き上げ運転時に前記切替弁を制御して、湯水の供給先を前記加熱手段に切り替えることにより、前記加熱手段を経由させた湯水を前記貯湯タンクに供給させ、均一化運転時に前記切替弁を制御して、湯水の供給先を前記給湯タンクに切り替えることにより、前記加熱手段を経由させない湯水を前記貯湯タンクに供給させる、
請求項１に記載の貯湯式給湯装置。
【請求項３】
前記報知手段は、
前記複数の温度センサが検出した温度の平均値を求め、当該平均値との偏差が最も大きい温度を特定し、
前記特定した温度を除いたトリム平均値を算出し、
前記算出したトリム平均値と前記特定した温度との偏差が、基準値よりも大きかった場合に、前記特定した温度に対応する温度センサの異常を報知する、
請求項１に記載の貯湯式給湯装置。
【請求項４】
前記制御装置は、
前記異常な温度を検出した温度センサの代わりに、隣接する温度センサが検出した温度に基づいて、当該異常な温度を検出した温度センサが検出すべき温度を演算する演算手段を、更に備える、
請求項１に記載の貯湯式給湯装置。
【請求項５】
前記制御装置は、
前記制御手段により湯水の温度が均一化された状態で、前記複数の温度センサが検出した温度に基づいて、前記複数の温度センサが検出する温度を校正するための校正値をそれぞれ演算する演算手段を、更に備える、
請求項１に記載の貯湯式給湯装置。
【発明の詳細な説明】
【技術分野】
【０００１】
本発明は、貯湯式給湯装置に関する。
【背景技術】
【０００２】
従来より、ヒートポンプ式給湯装置に代表される貯湯式給湯装置では、貯湯タンク内の湯水を底部から取り出し、ヒートポンプ式加熱手段を通して得られた高温の湯水を貯湯タンクの頂部へ戻すことにより、沸き上げ運転を行っている。この沸き上げ運転により、貯湯タンク内には、頂部から高温の湯水が徐々に積層された状態で貯湯（積層貯湯）されていく。そして、貯湯式給湯装置では、貯湯タンクに設置された複数の温度センサによって、積層貯湯された湯水の温度分布を把握し、貯湯タンク内の蓄熱量を推定していた。【０００３】
例えば、特許文献１には、貯湯タンク（貯湯槽）内の蓄熱量（残湯量）を正確に推定する貯湯システム（コジェネレーションシステム）の発明が開示されている。この貯湯システムでは、温度センサ間の温度分布を、湯水の生成及び湯水の消費から導かれる多次関数を用いて推定することで、貯湯タンク内の蓄熱量を正確に推定している。
【先行技術文献】
【特許文献】
【０００４】
【特許文献１】特許第５２４５８０７号公報
【発明の概要】
【発明が解決しようとする課題】
【０００５】
しかしながら、特許文献１に開示された発明では、温度センサの精度（温度検出精度）が低いと、温度分布の推定値に悪影響を及ぼし、結果として、推定される蓄熱量が不正確になるという課題があった。つまり、温度分布を推定する際の基準となる温度は、貯湯タンクに設置された温度センサの出力値を用いている。そのため、温度センサの精度が低い場合には、推定される温度分布が不正確となり、最終的に推定される蓄熱量も不正確となる。なお、高精度な（温度検出精度が高い）温度センサを設置することで、ある程度まで改善されるものの、その代わりにコストが高くなるという課題が生じてしまう。【０００６】
そのため、コストの上昇を抑制しつつ、貯湯タンク内の蓄熱量を正確に推定することのできる技術が求められていた。【０００７】
本発明は、上述のような課題を解決するためになされたものであり、貯湯タンク内の蓄熱量を正確に推定できる貯湯式給湯装置を提供することを目的とする。
【課題を解決するための手段】
【０００８】
上記目的を達成するため、本発明に係る貯湯式給湯装置は、
湯水を生成する加熱手段と、
前記加熱手段により生成された湯水を上方から入水することにより、温度帯の異なる湯水を貯湯する貯湯タンクと、
前記貯湯タンクの上下方向に並べて設置され、前記貯湯タンク内に貯湯された湯水の温度を検出する複数の温度センサと、
前記貯湯タンクの下方から取水した湯水を供給するポンプと、
前記加熱手段、及び、前記ポンプを制御する制御装置とを備え、
前記制御装置は、
前記ポンプから供給された湯水を、前記貯湯タンクに循環させることにより、前記貯湯タンク内における湯水の温度を均一化させる制御手段と、
前記制御手段により湯水の温度が均一化された状態で、前記複数の温度センサのうち異常な温度を検出した温度センサについて報知する報知手段と、を備える。
【発明の効果】
【０００９】
本発明に係る貯湯式給湯装置では、制御手段によって貯湯タンク内の湯水の温度が均一化され、その状態で複数の温度センサが同一の温度を検出することになる。これにより、設置された温度センサのうち異常な温度を検出した温度センサがあれば、その異常を報知することが可能となる。なお、異常が報知されない場合や、異常な温度を検出した温度センサが交換された場合には、通常の沸き上げ運転において、積層貯湯された湯水（温度帯の異なる湯水）の温度分布を正確に把握でき、結果として、貯湯タンク内の蓄熱量を正確に推定することができる。
【図面の簡単な説明】
【００１０】
【図１】本発明の実施形態に係る貯湯式給湯装置の構成を示す構成図
【図２】貯湯式給湯装置の接続構成を説明するためのブロック図
【図３】沸き上げ運転時における湯水の動作経路を説明するための模式図
【図４】均一化運転時における湯水の動作経路を説明するための模式図
【図５】温度センサが取得する温度の関係性の一例を示す模式図
【図６】本発明の他の実施形態に係る貯湯式給湯装置の接続構成を説明するためのブロック図
【発明を実施するための形態】
【００１１】
以下、本発明の実施形態について図面を参照して詳細に説明する。なお、本明細書で使用する各図においては、共通する要素に同一の符号を付けるものとする。また、本発明は、以下の実施の形態に限定されるものではなく、本発明の趣旨を逸脱しない範囲で種々に変形することが可能である。
【００１２】
＜貯湯式給湯装置の構成＞
図１は、本発明の実施形態に係る貯湯式給湯装置１の構成を示す構成図である。この貯湯式給湯装置１は、大きく分けて、貯湯ユニット１００と、ヒートポンプユニット２００とから構成されている。また、貯湯式給湯装置１には、浴槽４００及びリモコン５００が接続されている。
【００１３】
貯湯式給湯装置１は、加熱手段であるヒートポンプユニット２００で加熱された湯水を貯湯ユニット１００における貯湯タンク１０１に蓄える。ヒートポンプユニット２００は、例えば、圧縮機と、水冷媒熱交換器と、膨張弁と、空気熱交換器とを含んでいる。これらは、環状に接続され、冷媒を循環させるための冷凍サイクル回路（冷媒回路ともいう。）が形成されている。
【００１４】
貯湯ユニット１００には、主に、貯湯タンク１０１、温度センサ１０２（１０２ａ〜１０２ｆ）、循環ポンプ１０３、切替弁１０４，１０５、及び、制御装置３００が備えられている。
【００１５】
温度センサ１０２（１０２ａ〜１０２ｆ）は、貯湯タンク１０１の鉛直方向に間隔を空けて設置されており、貯湯タンク１０１内に積層貯湯された湯水（温度帯の異なる湯水）の温度を検出する。後述するように、制御装置３００は、温度センサ１０２により検出された温度を基に、貯湯タンク１０１内の湯水の温度分布を把握する。そして、制御装置３００は、把握した温度分布に基づいて、貯湯タンク１０１内の蓄熱量を推定する。
【００１６】
循環ポンプ１０３は、沸き上げ運転時に、貯湯タンク１０１の底部（下方）から取り出した湯水をヒートポンプユニット２００に供給し、このヒートポンプユニット２００で加熱された湯水を貯湯タンク１０１の頂部（上方）に戻す。また、後述するように、循環ポンプ１０３は、均一化運転（貯湯タンク１０１内の湯水の温度を均一化させる運転）時に、貯湯タンク１０１の底部から取り出した湯水を、ヒートポンプユニット２００を経由させずに、貯湯タンク１０１の頂部に戻す。
【００１７】
切替弁１０４は、３方弁であり、３つの入出水口ａ〜ｃを備えている。入出水口ａは、循環ポンプ１０３、及び、熱源機往き管１１２を経由してヒートポンプユニット２００と接続されている。入出水口ｂは、タンク底部取水管１１１を経由して貯湯タンク１０１の底部と接続されている。そして、入出水口ｃは、貯湯タンク１０１の頂部と接続されている。
【００１８】
切替弁１０５は、４方弁であり、４つの入出水口ａ〜ｄを備えている。入出水口ａは、タンク底部入水管１１５を経由して貯湯タンク１０１の底部と接続されている。入出水口ｂは、熱源機戻り管１１３を経由してヒートポンプユニット２００と接続されている。入出水口ｃは、タンク頂部入水管１１４を経由して貯湯タンク１０１の頂部と接続されている。そして、入出水口ｄは、熱源機バイパス管１１６を経由して熱源機往き管１１２と接続されている。
【００１９】
この他にも、貯湯ユニット１００には、給水端１２１を通じて、市水が供給される。給水端１２１は、混合弁１２２，１２３の入口と接続されている。混合弁１２２の出口は、流量センサ１２４を経由して、給湯端１２５と接続されている。混合弁１２３の出口は、電磁弁１２６を経由して、浴槽４００と接続されている。ふろ循環ポンプ１２７は、浴槽４００の湯水を循環させる。そして、水位センサ１２８は、浴槽４００の水位を検出する。
【００２０】
制御装置３００は、貯湯式給湯装置１全体の動作を制御する。また、制御装置３００は、リモコン５００と電気的に接続されている。なお、制御装置３００の詳細については、後述する。
【００２１】
リモコン５００は、ユーザによって、貯湯式給湯装置１への操作や、貯湯式給湯装置１の運転状態を確認するために使用される。一例として、リモコン５００には、表示部、操作部、スピーカ、及び、マイクが搭載されている。例えば、操作部は、ユーザの操作を受け付け、制御装置３００に操作内容を通知する。また、表示部は、制御装置３００から得られた情報に基づいて、貯湯式給湯装置１の運転状態を表示する。なお、表示部は、後述するように、温度センサ１０２の異常が検出された際に、その異常を知らせるためのメッセージを表示する。その際、スピーカから、アラーム音を出力するようにしてもよい。つまり、表示部やスピーカにより、温度センサ１０２の異常を報知する。
【００２２】
次に、制御装置３００を中心として、貯湯式給湯装置１を説明する。図２は、貯湯式給湯装置１の接続構成を説明するためのブロック図である。図２に示すように、貯湯式給湯装置１の制御を行う制御装置３００は、測定部３０１、演算部３０２、制御部３０３、及び、記憶部３０４を含んで構成されている。
【００２３】
このような構成の制御装置３００には、入力として、温度センサ１０２（１０２ａ〜１０２ｆ）、流量センサ１２４、及び、水位センサ１２８が接続されている。また、制御装置３００には、入出力として、リモコン５００が接続されている。更に、制御装置３００には、出力として、ヒートポンプユニット２００、循環ポンプ１０３、切替弁１０４，１０５、混合弁１２２，１２３、及び、電磁弁１２６等のアクチュエータが接続されている。
【００２４】
測定部３０１は、温度センサ１０２、流量センサ１２４、及び、水位センサ１２８から入力した情報に従って、各諸量を測定する。
【００２５】
演算部３０２は、測定部３０１が計測した各諸量に基づいて、制御動作を演算する。例えば、演算部３０２は、貯湯タンク１０１内の蓄熱量からヒートポンプユニット２００の動作を演算する。この他にも、後述するように、温度センサ１０２の異常を検出するための演算や、温度センサ１０２を校正するための校正値を求める演算も行う。
【００２６】
制御部３０３は、演算部３０２が演算した制御動作に基づいて、ヒートポンプユニット２００、循環ポンプ１０３、切替弁１０４，１０５、混合弁１２２，１２３、及び、電磁弁１２６等のアクチュエータを制御する。
【００２７】
記憶部３０４は、予め定められた定数やリモコン５００から送信される設定値といった種々の情報を記憶する。例えば、記憶部３０４は、後述するように、温度センサ１０２の異常を検出した際に、正常な温度センサ１０２から得られた温度を用いて、異常な温度センサ１０２が検出すべき温度を予測するための補正式を記憶する。また、記憶部３０４は、後述するように、温度センサ１０２を校正するための校正値が求められると、その校正値も記憶する。そして、演算部３０２や制御部３０３は、必要に応じて、記憶部３０４に記憶された情報を参照し、あるいは、書き換えを行うことが可能である。
【００２８】
なお、このような測定部３０１、演算部３０２、及び、制御部３０３は、例えば、マイコンにより構成される。また、記憶部３０４は、例えば、半導体メモリによって構成される。
【００２９】
＜沸き上げ運転＞
本発明の実施形態における貯湯式給湯装置１の沸き上げ運転について説明を行う。沸き上げ運転時には、制御装置３００によって、切替弁１０４，１０５は、以下のように制御される。
【００３０】
制御装置３００は、切替弁１０４の入出水口ａ，ｂを開放し、一方、入出水口ｃを閉塞する。また、制御装置３００は、切替弁１０５の入出水口ｂ，ｃを開放し、一方、入出水口ａ，ｄを閉塞する。
【００３１】
切替弁１０４，１０５をこのように制御した状態で、制御装置３００は、循環ポンプ１０３を動作させる。これにより、図３に示すように、湯水は、貯湯タンク１０１の底部から切替弁１０４、循環ポンプ１０３、ヒートポンプユニット２００、切替弁１０５、貯湯タンク１０１の頂部へと順に導かれる。制御装置３００は、このようにして、貯湯タンク１０１の底部から取り出した湯水を加熱手段であるヒートポンプユニット２００にて加熱し、加熱した湯水を貯湯タンク１０１の頂部へと送ることが可能となる。このような沸き上げ運転により、貯湯タンク１０１内には、頂部から高温の湯水が徐々に積層された状態で貯湯（積層貯湯）されていく。
【００３２】
＜均一化運転＞
上述した沸き上げ運転の後に、貯湯タンク１０１内に積層貯湯された湯水の温度を均一化する均一化運転について説明する。均一化運転時には、制御装置３００によって、切替弁１０４，１０５は、以下のように制御される。
【００３３】
制御装置３００は、切替弁１０４の入出水口ａ，ｂを開放し、一方、入出水口ｃを閉塞する。また、制御装置３００は、切替弁１０５の入出水口ｃ，ｄを開放し、一方、入出水口ａ，ｂを閉塞する。
【００３４】
切替弁１０４，１０５をこのように制御した状態で、制御装置３００は、循環ポンプ１０３を動作させる。これにより、図４に示すように、湯水は、貯湯タンク１０１の底部から切替弁１０４、循環ポンプ１０３、切替弁１０５、貯湯タンク１０１の頂部へと順に導かれる。つまり、制御装置３００は、貯湯タンク１０１の底部から取り出した湯水を、ヒートポンプユニット２００を経由させることなく、貯湯タンク１０１の頂部へと循環させることで、貯湯タンク１０１に積層貯湯された湯水の温度を均一化させることが可能となる。
【００３５】
＜異常な温度センサの報知＞
上述した均一化運転を実施し、貯湯タンク１０１内の湯水が同一温度となった後、制御装置３００は、温度センサ１０２を用いて湯水の温度を測定する。ここで温度センサ１０２ａ，１０２ｂ，１０２ｃ，１０２ｄ，１０２ｅ，１０２ｆにより、それぞれ取得された温度を順に、温度Ｔａ，Ｔｂ，Ｔｃ，Ｔｄ，Ｔｅ，Ｔｆとする。
【００３６】
制御装置３００（演算部３０２）は、これら温度Ｔａ〜Ｔｆを用いて、取得された温度の平均値Ｔｍを算出する。ここで制御装置３００は、平均値Ｔｍとの偏差が最も大きい温度Ｔ’を除外し、再び残りの温度の平均値Ｔ’ｍ（トリム平均値）を算出する。
【００３７】
制御装置３００は、平均値Ｔ’ｍと温度Ｔ’との偏差が、温度センサ１０２の動作保障範囲外であった場合（基準値よりも大きかった場合）に、温度Ｔ’が異常値であると判定し、接続されたリモコン５００を介して対象となる温度センサ１０２の異常を報知する。例えば、制御装置３００は、リモコン５００を制御して、温度センサ１０２の異常を知らせるためのメッセージをリモコン５００の表示部に表示させ、また、アラーム音をリモコン５００のスピーカから出力させる。
【００３８】
このように、貯湯式給湯装置１では、均一化運転によって貯湯タンク１０１内の湯水の温度が均一化され、その状態で温度センサ１０２ａ〜１０２ｆが同一の温度を検出することになる。これにより、設置された温度センサ１０２のうち、著しく精度が損なわれた温度センサ１０２を検出して、その異常を報知することが可能となる。
【００３９】
図５には、温度センサ１０２が取得する温度の関係性を示す例として、温度センサ１０２ｃが異常な温度を取得した場合、すなわち、温度Ｔｃ＝温度Ｔ’となる場合を示している。つまり、制御装置３００（演算部３０２）は、まず、温度Ｔａ〜Ｔｆを用いて、平均値Ｔｍを算出する。続いて、制御装置３００は、平均値Ｔｍとの偏差が最も大きい温度Ｔｃ（＝温度Ｔ’）を除外し、残りの温度Ｔａ，Ｔｂ，Ｔｄ〜Ｔｆを用いて、平均値Ｔ’ｍ（トリム平均値）を算出する。そして、平均値Ｔ’ｍと、温度Ｔｃ（＝温度Ｔ’）との偏差が、温度センサ１０２の動作保障範囲に収まらない場合に、制御装置３００は、リモコン５００を通じて、温度センサ１０２ｃの異常を報知する。
【００４０】
このような温度センサ１０２ｃの異常を検出（報知）した場合に、通常の沸き上げ運転において、制御装置３００（演算部３０２）は、温度センサ１０２ｃの取得する温度Ｔｃの代わりに、代替温度ＥＴｃを求めるようにしてもよい。例えば、制御装置３００は、記憶部３０４に記憶された補正式を利用して、正常に動作する周囲の温度センサ１０２（例えば、温度センサ１０２ｂ，１０２ｄ）が取得した温度を用いて、温度センサ１０２ｃが本来検出すべき温度（つまり、異常センサの代替温度ＥＴｃ）を求める。
【００４１】
この場合、温度センサ１０２ｃが取得した温度Ｔｃの代わりの代替温度ＥＴｃと、他の温度センサ１０２が取得したＴａ，Ｔｂ，Ｔｄ〜Ｔｆとを使用して、貯湯タンク１０１内に積層貯湯された湯水の温度分布を正確に把握でき、結果として、貯湯タンク１０１内の蓄熱量を正確に推定するこができる。
【００４２】
＜温度センサの校正＞
また、温度センサ１０２の異常が検出されなかった場合（あるいは、異常が検出された温度センサ１０２が交換された場合）に、制御装置３００（演算部３０２）は、以下のようにして、温度センサ１０２ａ〜１０２ｆをそれぞれ校正する。
【００４３】
温度センサ１０２が検出する温度の不確かさを、不確かさσとすると、Ｎ個の温度センサ１０２が検出する温度の平均値の不確かさσ’は、下記の式１で表される。
【００４４】
0006599026.tif 000002
【００４５】
したがって、制御装置３００（演算部３０２）は、均一化運転後温度の平均値Ｔｍと不確かさσ’とを用いて、温度センサ１０２ａ〜１０２ｆが取得した温度Ｔａ〜Ｔｆを校正するための校正値をそれぞれ求めて校正することによって、温度センサ１０２の検出温度の不確かさを低減することが可能となる。例えば、制御装置３００は、温度Ｔａ（温度センサ１０２ａ）を校正する場合、以下の式２により、校正値Ａａを求める。
【００４６】
Ａａ＝（Ｔｍ−Ｔａ）・σ’  ・・・（式２）
【００４７】
制御装置３００は、温度Ｔｂ〜Ｔｆ（温度センサ１０２ｂ〜１０２ｆ）についても、同様の式により、校正値Ａｂ〜Ａｆをそれぞれ求める。
【００４８】
制御装置３００は、このようにして求めた校正値Ａａ〜Ａｆを、記憶部３０４に記憶しておく。そして、制御装置３００は、通常の沸き上げ運転時に温度センサ１０２ａ〜１０２ｆが取得した温度Ｔａ〜Ｔｆを、校正値Ａａ〜Ａｆを用いてそれぞれ校正する。
【００４９】
この場合、温度センサ１０２が取得したＴａ〜Ｔｆを校正値Ａａ〜Ａｆを使用して補正することで、貯湯タンク１０１内に積層貯湯された湯水の温度分布を正確に把握でき、結果として、貯湯タンク１０１内の蓄熱量を正確に推定するこができる。
【００５０】
上述した均一化運転は、貯湯タンク１０１内の使用可能な湯水の量を減少させる可能性を含んでいる。このため、均一化運転（報知や校正）は、例えば、貯湯式給湯装置１が初めて使用環境に設置された時の初期動作として実施することが想定される。つまり、均一化運転を初期動作として実施することで、ユーザの利便性を損なうことなく、貯湯式給湯装置１の計測機能の精度を向上させることが可能となる。
【００５１】
また、貯湯式給湯装置１の計測機能の精度をより向上させるために、上述した沸き上げ運転と、上述した均一化運転とを繰り返しながら、上述した温度センサ１０２の校正を複数回実行してもよい。この場合、様々な温度帯での校正を実施することが可能となり、温度センサの１０２の検出温度の不確かさをより低減することが可能となる。
【００５２】
なお、上述した実施形態では、均一化運転として、循環ポンプ１０３を利用して、ヒートポンプユニット２００を経由せずに貯湯タンク１０１内の湯水を循環させることで、温度を均一化する場合について説明したが、一例であり、他の手法によって、貯湯タンク１０１内の湯水の温度を均一化させてもよい。例えば、ポンプ動作によって、貯湯タンク１０１内の湯水の温度を均一化させてもよい。つまり、均一化運転には、温度センサの検知の不確かさを低減させる動作を含めばよいものとする。
【００５３】
（他の実施形態）
上記の実施形態において、制御装置３００が、温度センサ１０２の異常をリモコン５００を使用して報知する場合について説明したが、制御装置３００側で、報知手段を備えるようにしてもよい。
【００５４】
例えば、図６に示すように、貯湯式給湯装置１の制御を行う制御装置３１０は、測定部３０１、演算部３０２、制御部３０３、記憶部３０４、及び、報知部３１１を含んで構成されている。なお、測定部３０１〜記憶部３０４は、上述した図２の制御装置３００と同じ構成であるため、説明を省略する。
【００５５】
報知部３１１は、上記と同様に、温度センサ１０２の異常を検出した際に、その異常を報知する。例えば、報知部３１１は、表示部やスピーカからなり、温度センサ１０２の異常が検出された際に、その異常を知らせるためのメッセージを表示したり、アラーム音を出力する。
【００５６】
この場合も、貯湯式給湯装置１は、設置された温度センサ１０２のうち、著しく精度が損なわれた温度センサ１０２を検出した場合に、その異常を報知することが可能となる。
【００５７】
また、上記の実施形態において、制御装置３００，３１０によって実行されるプログラムは、ＣＤ−ＲＯＭ（Compact Disc Read Only Memory）、ＤＶＤ（Digital Versatile Disc）、ＭＯ（Magneto-Optical Disk）、ＵＳＢメモリ、メモリカード等のコンピュータ読み取り可能な記録媒体に格納して配布することも可能である。そして、かかるプログラムを特定の又は汎用のコンピュータにインストールすることによって、当該コンピュータを上記の実施形態における制御装置３００，３１０として機能させることも可能である。
【００５８】
また、上記のプログラムをインターネットといった通信ネットワーク上のサーバ装置が有するディスク装置に格納しておき、例えば、搬送波に重畳させて、コンピュータにダウンロードするようにしてもよい。また、通信ネットワークを介してプログラムを転送しながら起動実行することによっても、上述の処理を達成することができる。さらに、プログラムの全部又は一部をサーバ装置上で実行させ、その処理に関する情報をコンピュータが通信ネットワークを介して送受信しながらプログラムを実行することによっても、上述の処理を達成することができる。
【００５９】
なお、上述の機能を、ＯＳ（Operating System）が分担して実現する場合又はＯＳとアプリケーションとの協働により実現する場合等には、ＯＳ以外の部分のみを上記の記録媒体に格納して配布してもよく、また、コンピュータにダウンロードしてもよい。
【００６０】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００６１】
本発明は、家庭内や施設で使用される貯湯式給湯装置に好適に採用され得る。
【符号の説明】
【００６２】
１  貯湯式給湯装置、１００  貯湯ユニット、１０１  貯湯タンク、１０２（１０２ａ〜１０２ｆ）  温度センサ、１０３  循環ポンプ、１０４，１０５  切替弁、１１１  タンク底部取水管、１１２  熱源機往き管、１１３  熱源機戻り管、１１４  タンク頂部入水管、１１５  タンク底部入水管、１１６  熱源機バイパス管、１２１  給水端、１２２，１２３  混合弁、１２４  流量センサ、１２５  給湯端、１２６  電磁弁、１２７  ふろ循環ポンプ、１２８  水位センサ、２００  ヒートポンプユニット、３００，３１０  制御装置、３０１  測定部、３０２  演算部、３０３  制御部、３０４  記憶部、３１１  報知部、４００  浴槽、５００  リモコン
【図１】
0006599026.tif 000003
【図２】
0006599026.tif 000004
【図３】
0006599026.tif 000005
【図４】
0006599026.tif 000006
【図５】
0006599026.tif 000007
【図６】
0006599026.tif 000008